(57)【要約】【課題】  ブラケット撮影時に、記録媒体への記録順序とは無関係に、クイックレビュー表示する画像を選択可能にする。【解決手段】  光電変換により画像データを生成する撮像手段と、前記撮像手段により生成された画像データを一時的に保存する一時保存手段と、前記一時保存手段により保存された画像データに対して画像処理を行う画像処理手段と、前記画像処理手段により画像処理された画像データを表示する表示手段と、前記画像処理手段により画像処理された画像データを記録媒体に記録する記録手段とを有する撮像装置により撮像する撮像方法であって、前記画像処理手段と前記記録手段とを制御し、前記一時保存手段により保存された同一の画像データに対して複数回の異なる画像処理を行い、複数の画像処理された画像データを記録媒体に記録するように制御する制御手段と、前記制御手段により画像処理された複数の画像データの中から前記表示手段により表示する画像データを選択する選択手段を備える構成とする。【選択図】        図１
2006114970.tif 000002
【特許請求の範囲】
【請求項１】
光電変換により画像データを生成する撮像手段と、前記撮像手段により生成された画像データを一時的に保存する一時保存手段と、前記一時保存手段により保存された画像データに対して画像処理を行う画像処理手段と、前記画像処理手段により画像処理された画像データを表示する表示手段と、前記画像処理手段により画像処理された画像データを記録媒体に記録する記録手段とを有する撮像装置により撮像する撮像方法であって、
前記画像処理手段と前記記録手段とを制御し、前記一時保存手段により保存された同一の画像データに対して複数回の異なる画像処理を行い、複数の画像処理された画像データを記録媒体に記録するように制御する制御手段と、
前記制御手段により画像処理された複数の画像データの中から前記表示手段により表示する画像データを選択する選択手段を備え、撮像することを特徴とする撮像方法。
【請求項２】
前記制御手段は、複数回の画像処理においてホワイトバランス処理が異なるように制御することを特徴とする請求項１記載の撮像方法。
【請求項３】
前記制御手段において記録される複数の画像データの記録順序を設定する記録順序設定手段をさらに備え、撮像することを特徴とする請求項１記載の撮像方法。
【請求項４】
光電変換により画像データを生成する撮像手段と、前記撮像手段により生成された画像データを一時的に保存する一時保存手段と、前記一時保存手段により保存された画像データに対して画像処理を行う画像処理手段と、前記画像処理手段により画像処理された画像データを表示する表示手段と、前記画像処理手段により画像処理された画像データを記録媒体に記録する記録手段とを有する撮像装置であって、
前記画像処理手段と前記記録手段とを制御し、前記一時保存手段により保存された同一の画像データに対して複数回の異なる画像処理を行い、複数の画像処理された画像データを記録媒体に記録するように制御する制御手段と、
前記制御手段により画像処理された複数の画像データの中から前記表示手段により表示する画像データを選択する選択手段を備えることを特徴とする撮像装置。
【請求項５】
前記制御手段は、複数回の画像処理においてホワイトバランス処理が異なるように制御することを特徴とする請求項４記載の撮像装置。
【請求項６】
前記制御手段において記録される複数の画像データの記録順序を設定する記録順序設定手段をさらに備えることを特徴とする請求項４記載の撮像装置。
【発明の詳細な説明】
【技術分野】
【０００１】
本発明は、光画像を光電変換素子により電気画像信号に変換し、該電気画像信号を記録媒体に記録する電子スチルカメラ等の撮像方法、撮像装置、撮像装置の制御方法、撮像装置の制御プログラムを提供する媒体などに関するものである。
【背景技術】
【０００２】
電子スチルカメラにおいては、コンパクトフラッシュ（登録商標）やスマートメディア等の記録媒体に記録済みの画像データを読み出して液晶などの表示器に表示する再生機能に加えて、撮影直後の記録媒体への記録が完了していない画像データを自動的に表示するクイックレビュー表示機能を有するものが多い。このクイックレビュー表示機能は、撮影が終了した時点で最も新しい（最後に画像処理が完了した）画像データを１コマだけ液晶などの表示器に表示する。
【０００３】
また、これまでの銀塩カメラでも数多く搭載されてきたＡＥＢ撮影機能に代表される撮影動作と記録される画像データが１対１の関係となる従来のオードブラケット撮影とは異なり、電子スチルカメラでは一回の撮影動作で生成される元画像データに対して、複数の異なる画像処理を行うことにより複数の画像データを記録するオートブラケット撮影（以下、従来のオートブラケット撮影と区別するためにデジタルオートブラケット撮影と称する）が可能となっている。デジタルオートブラケット撮影の代表例としては、１コマの元画像データに対して複数の異なるホワイトバランス処理を行い、複数の画像データを記録するホワイトバランスブラケット（以下、ＷＢブラケットと称する）がある。デジタルオートブラケット撮影で画像処理される複数の画像データの記録順序は、メニュー画面などを介してユーザーが指定できるものが一般的である。
【０００４】
上記デジタルオートブラケット撮影と前述のクイックレビュー表示機能を組み合わせた場合、最後に記録される画像データを１コマ表示することになるので、ユーザーが設定した記録順序において最後尾に該当する画像データがクイックレビュー表示される。従って、クイックレビュー表示する画像データを変更したい場合には、本来無関係であるはずのデジタルオートブラケット撮影時の記録順序を変更する必要があった。
【特許文献１】特開２００３−１１０９２３号公報
【発明の開示】
【発明が解決しようとする課題】
【０００５】
上述したような従来の電子スチルカメラでは、デジタルオートブラケット撮影時にクイックレビュー表示対象となる画像データは、デジタルオートブラケット撮影時の記録順序に基づいて決定される。即ち、デジタルオートブラケット撮影時の記録順序とは独立にクイックレビュー表示する画像データを指定する方法が存在しないという問題があった。また、設定可能な記録順序の中に、クイックレビュー表示したい画像データが最後尾となる選択肢が存在しなかった場合には、クイックレビュー表示すること自体が不可能であった。
【０００６】
本発明は、以上の事情に鑑みなされたもので、その目的とする処は、デジタルオートブラケット撮影時の記録順序とは独立にクイックレビュー表示する画像データを選択する手段を備えることにより、クイックレビュー表示する画像データを柔軟に変更できるようにした撮像方法及びその装置を提供することである。
【課題を解決するための手段】
【０００７】
上記目的を達成するために本発明は、以下の構成を備えるものである。即ち、画像を記録する記録手段と、撮影に関する情報を表示する表示手段とを有する撮像装置により撮像する撮像方法であって、前記記録手段により記録される画像に付与するディレクトリ名及びファイル名の少なくとも一方を更新して新たなディレクトリ名及びファイル名の少なくとも一方を作成するファイル名作成手段と、前記ファイル名作成手段で作成できなくなる所定の条件を判定条件１、判定条件１よりも早く到達することが保証される所定の条件を判定条件２とした場合、新たなディレクトリ名及びファイル名が判定条件２に到達したか否かを判定する判定手段と、前記判定手段により前記判定条件２に到達したと判定された場合、前記表示手段に当該状態を表示するように制御する制御手段を備える。
【０００８】
そしてまた、上記課題を解決するための構成として、本発明の第一の発明を、改めて以下（１）として示す。
【０００９】
（１）光電変換により画像データを生成する撮像手段と、前記撮像手段により生成された画像データを一時的に保存する一時保存手段と、前記一時保存手段により保存された画像データに対して画像処理を行う画像処理手段と、前記画像処理手段により画像処理された画像データを表示する表示手段と、前記画像処理手段により画像処理された画像データを記録媒体に記録する記録手段とを有する撮像装置により撮像する撮像方法であって、前記画像処理手段と前記記録手段とを制御し、前記一時保存手段により保存された同一の画像データに対して複数回の異なる画像処理を行い、複数の画像処理された画像データを記録媒体に記録するように制御する制御手段と、前記制御手段により画像処理された複数の画像データの中から前記表示手段により表示する画像データを選択する選択手段を備え、撮像する撮像方法。
【発明の効果】
【００１０】
本発明によれば、デジタルオートブラケット撮影時の記録順序とは独立にクイックレビュー表示する画像データを選択することができるため、クイックレビュー表示する画像データを柔軟に変更することが可能になる。
【発明を実施するための最良の形態】
【００１１】
以下，本発明の各実施の形態を図面に基づき説明する。
【実施例】
【００１２】
まず、本発明の実施の形態を図１から図５を参照して説明する。
【００１３】
図１は、本実施の形態に係る撮像装置である電子スチルカメラの構成を示すブロック図である。同図において、１は撮影レンズユニット、２はＡＦ（オートフォーカス）駆動回路で、例えば、ステッピングモータによって構成され、マイクロコンピュータ１６の制御によって撮影レンズユニット１内のフォーカスレンズ位置を変化させることにより撮像素子６上にピントを合わせる。３はズーム駆動回路で、例えば、ステッピングモータによって構成され、マイクロコンピュータ１６の制御によって撮影レンズユニット１内の変倍レンズ位置を変化させることにより撮影レンズユニット１の焦点距離を変化させる。４は絞り駆動回路で、例えば、オートアイリス等によって構成され、マイクロコンピュータ１６の制御によって絞り５を変化させて光学的な絞り値を変化させる。
【００１４】
６は撮像素子で、ＣＣＤ（電荷結合素子）等により構成され、撮影レンズユニット１によってその撮像素子６上に結像された被写体像を光電変換して電気信号として取り出す。７はクランプ／ＣＤＳ（相関二重サンプリング）回路で、Ａ／Ｄ変換する前の基本的なアナログ処理を行うと共に、クランプレベルの変更も可能である。８はＡＧＣ（自動利得調整装置）で、Ａ／Ｄ変換する前の基本的なアナログ処理を行うと共に、ＡＧＣ基準レベルの変更も可能である。９はＡ／Ｄ変換器で、アナログのＣＣＤ６の出力信号をデジタル信号に変換する。
【００１５】
１０は映像信号処理回路で、デジタル化されたＣＣＤ６の画像データに、フィルター処理、色変換処理、ガンマー／ニー処理を行い、メモリコントローラ１３に出力する。また、この映像信号処理回路１０には、Ｄ／Ａ変換器が内蔵されており、ＣＣＤ６から入力される映像信号や、メモリコントローラ１３から逆に入力される画像データをアナログ信号に変換し、ＥＶＦ（エレクトリックビューファインダー）駆動回路１１を通してＥＶＦ（エレクトリックビューファインダー）モニタ１２に出力することも可能である。
【００１６】
これらの機能切り換えは、マイクロコンピュータ１６とのデータ交換により行われ、必要に応じてＣＣＤ６の出力信号の露出情報やフォーカス情報やホワイトバランスやオートフォーカス情報をマイクロコンピュータ１６に出力可能である。その情報を基にマイクロコンピュータ１６はホワイトバランス調整やゲイン調整を行う。また、オートフォーカス情報を評価してＡＦ駆動回路２に通信して撮影レンズユニット１内のフォーカスレンズを駆動する。また、マイクロコンピュータ１６の指示により、何もせずにメモリコントローラ１３を通してバッファメモリ１９に画像データを保存することも可能である。また、映像信号処理回路１０は、ＪＰＥＧ等の圧縮処理を行う機能も有している。
【００１７】
また、連写の場合は、一旦、バッファメモリ１９に画像データを格納し、処理時間がかかる映像信号処理回路１０による画像処理や圧縮処理は、メモリコントローラ１３を通してバッファメモリ１９に格納した未処理の画像データを読み出して行うことにより、これら処理を待たずに連写スピードを稼ぐ。連写枚数は、バッファメモリ１９の大きさに大きく左右される。
【００１８】
メモリコントローラ１３では、映像信号処理回路１０から入力された未処理のデジタル画像データをバッファメモリ１９に格納し、処理済みのデジタル画像をメモリ１４に格納したり、逆にバッファメモリ１９やメモリ１４から画像データを映像信号処理回路１０に出力したりする。また、メモリコントローラ１３は、外部インタフェース１５から送られてくる映像をメモリ１４に記憶したり、メモリ１４に記憶されている画像を外部インタフェース１５から出力可能である。メモリ１４は、撮像装置本体に対して取り外しが自由である場合もある。
【００１９】
１７は電源部で、各ＩＣ（集積回路）や駆動系に必要な電源を供給する。１８は操作部材で、その操作状態をマイクロコンピュータ１６に伝え、このマイクロコンピュータ１６は操作部材１８の操作状態に応じて各部を制御する。２０はレリーズ釦で、操作部材１８の入力スイッチで、可動接点２０ａ，２０ｂを有している。そして、レリーズ釦半押し状態では、一方の可動接点２０ａのみがオン（閉成）し、また、レリーズ釦全押し状態では、可動接点２０ｂがオンし、撮影画像をホールドし記録する。
【００２０】
２１は液晶表示駆動回路で、マイクロコンピュータ１６の表示内容命令に従って、外部液晶表示器２２やファインダー内液晶表示器２３を駆動する。また、ファインダー内液晶表示器２３には、不図示のＬＥＤ（発光ダイオード）等のバックライトが配置されており、そのＬＥＤも液晶表示駆動回路２１で駆動される。また、液晶表示駆動回路２１は、マイクロコンピュータ１６の指示により特定のセグメントを点滅表示状態にすることが可能である。また、液晶表示駆動回路２１は、表示色の変更機能がある。
【００２１】
光画像を光電変換によって電気画像信号に変換する手段は、ＣＣＤ６、クランプ／ＣＤＳ回路７、ＡＧＣ８及びＡ／Ｄ変換器９により構成される。また、画像を一時的に保存する保存手段は、バッファメモリ１９により構成される。また、一時的に画像をバッファメモリ１９に保存する用に制御する制御手段は、映像信号処理回路１０及びメモリコントローラ１３により構成される。また、着脱可能な記録媒体は、メモリ１４により構成される。また、電気画像信号をバッファメモリ１９から読み出して画像処理するように制御する制御手段は、映像信号処理回路１０及びメモリコントローラ１３により構成される。また、着脱可能な記録媒体に記録するように制御する制御手段は、メモリコントローラ１３により構成される。また、画像再生機能やクイックレビュー表示機能などを実現する表示手段は、液晶表示駆動回路２１及び外部液晶表示器２２により構成される。
【００２２】
次に、本実施の形態に係る電子スチルカメラの撮影モード時の動作について、図２のフローチャートに基づき説明する。
【００２３】
まず、ステップＳ２０１で、マイクロコンピュータ１６内部の電源ＯＦＦタイマーがタイムアウトしたか否かを判断する。そして、タイムアウトしたと判断された場合は、電源ＯＦＦ処理のためにステップＳ２１５へ、また、タイムアウトしていないと判断された場合は、ステップＳ２０２へそれぞれ進む（尚、撮影モード開始時は、電源ＯＦＦタイマーはタイムアウトしていない）。
【００２４】
ステップＳ２０２では、レリーズ釦２０の一方の可動接点２０ａがオン状態であるか否かを判断する。そして、オン状態であると判断された場合は、電源ＯＦＦタイマー更新処理のためにステップＳ２０３へ、また、オン状態でないと判断された場合は、ステップＳ２０４へそれぞれ進む。
【００２５】
ステップＳ２０３では、電源ＯＦＦタイマーの更新処理を行った後、ステップＳ２０４へ進む。
【００２６】
ステップＳ２０４では、ＣＣＤ６の画像をクランプ／ＣＤＳ回路７、ＡＧＣ８及びＡ／Ｄ変換器９により取り込む。
【００２７】
次に、ステップＳ２０５へ進んで、映像信号処理回路１０の出力である露出条件とホワイトバランス情報とを基に、適正な明るさで、適正な色になるように、ＡＧＣ８にゲイン値や絞り駆動回路４に送る絞り値やＣＣＤ６の制御用電子シャッター値と映像信号処理回路１０で用いるＲとＢのゲインとを演算決定して制御する。
【００２８】
次に、ステップＳ２０６へ進んで、映像信号処理回路１０の出力であるフォーカス情報に基づいてレンズ駆動量を演算決定し、ＡＦ駆動回路２を用いて撮影レンズユニット１の一部のレンズを駆動し、ピント調整する。
【００２９】
次に、ステップＳ２０７へ進んで、前記ステップＳ２０５において制御された画像信号をＥＶＦ駆動回路１１に送り、ＥＶＦ１２に表示する。
【００３０】
次に、ステップＳ２０８へ進んで、前記ステップＳ２０５及び前記ステップＳ２０６において決定された撮影情報を液晶表示駆動回路２１へ送り、外部液晶表示器２２やファインダー内液晶表示器２３に表示する。また、ファインダー内液晶表示器２３のバックライトも点灯する。
【００３１】
次に、ステップＳ２０９へ進んで、レリーズ釦２０の可動接点２０ｂがオン状態か否かを判断する。そして、オン状態と判断された場合は、画像を保存するためにステップＳ２１０へ進み、また、オン状態でないと判断された場合は、前記ステップＳ２０１へ戻る。
【００３２】
ステップＳ２１０では、メモリコントローラ１３に画像信号を送り、バッファメモリ１９に画像を一時保存する。
【００３３】
次に、ステップＳ２１１へ進んで、バッファメモリ１９に格納された未処理の画像を映像信号処理回路１０の負荷が画像処理できるレベルであるときに処理し、圧縮し、メモリ１４に格納する動作をスタートする。連写等の場合は、バッファメモリ１９に画像がどんどん格納されるが、画像処理は停止した状態になることもある。
【００３４】
次に、ステップＳ２１２へ進んで、次のコマの撮影が可能であるか否かを判断する。ここで、バッファメモリ１９の格納領域に空きがある場合は次のコマの撮影が可能であり、その場合は次のステップＳ２１３へ進み、また、バッファメモリ１９の格納領域に空きがない場合は次のコマの撮影が不可能であり、１コマ分の画像処理、圧縮、メモリ格納処理が終了するのを待つ。
【００３５】
ステップＳ２１３では、レリーズ釦２０の一方の可動接点２０ａがオンであるか否かを判断する。そして、オンではないと判断された場合は、次のステップＳ２１４へ進み、また、オンであると判断された場合は、前記ステップＳ２０１へ戻る。
【００３６】
ステップＳ２１４では、電源ＯＦＦタイマーをクリアーし、強制的に該電源ＯＦＦタイマーがタイムアウトした状態にした後、前記ステップＳ２０１へ戻る。
【００３７】
一方、前記ステップＳ２０１において電源ＯＦＦタイマーがタイムアウトしたと判断された場合は、ステップＳ２１５でＥＶＦ駆動回路１１によりＥＶＦ１２の表示を消灯し、ファインダー内液晶表示器２３のバックライトも消灯する。
【００３８】
次に、ステップＳ２１６へ進んで、前記ステップＳ２１１においてスタートした画像処理と圧縮とメモリ格納とが全て終了し、バッファメモリ１９の格納領域が空になるのを待つ。
【００３９】
次に、ステップＳ２１７へ進んで、電源部１７に指示を出し、必要のない電源をＯＦＦにした後、本処理動作を終了する。
【００４０】
次に、本実施の形態に係る電子スチルカメラの特徴について、図３から図５を用いて説明する。
【００４１】
図３は、図２の主にステップＳ２１０及びステップＳ２１１において実行される、画像をバッファメモリ１９に一時保存し、映像信号処理回路１０による画像処理／圧縮処理などを経てメモリ１４に格納する処理のうち、特にＷＢブラケット設定時のクイックレビュー表示に関わる動作の詳細を示すフローチャートである。
【００４２】
図３において、まず、ステップＳ３０１でＣＣＤ６の画像を取り込む。次にステップＳ３０２へ進み、ステップＳ３０１で取り込んだ画像信号をメモリコントローラ１３に送り、バッファメモリ１９に画像を一時保存する。
【００４３】
次にステップＳ３０３へ進み、ステップＳ３０２においてバッファメモリ１９に一時保存された未処理の画像データに対して画像処理・記録を行う回数を設定する。本実施例のＷＢブラケット撮影では、同一の未処理の画像データに対して、
１．適正色温度に補正
２．適正に対して低色温度側に補正
３．適正に対して高色温度側に補正
の計３回の異なる画像処理を施し、それぞれ独立した画像データとしてメモリ１４に記録する。従って、本ステップで設定される画像処理・記録を行う回数は３回となる。ここで、３回の画像処理・記録の順序は、予め設定されている順序に従う。図４は、外部液晶表示器２２に画像処理・記録の順序を設定する設定メニューを表示した例であり、白抜き表示された、
2006114970.tif 000003
が選択されていることを示している。即ち、本実施例での画像処理・記録の順序は、１回目が適正色温度に補正した画像データ、２回目が適正に対して低色温度側に補正した画像データ、そして３回目が適正に対して高色温度側に補正した画像となる。
【００４４】
次にステップＳ３０４へ進み、既に画像処理・記録を行った回数が、ステップＳ３０３で設定した画像処理・記録を行う回数と一致するか否かを判定する。そして、画像処理・記録を行う回数と一致しなかった場合は、ステップＳ３０５へ進み、また、画像処理・記録を行う回数と一致した場合は、所定回数の画像データの画像処理・記録が完了したことになるのでステップＳ３１０へ進む。
【００４５】
ステップ３０５では、Ｓ３０２においてバッファメモリ１９に一時保存された未処理の画像データに対して画像処理を行うために必要となる画像処理パラメータを映像信号処理回路１０に設定する。本実施例では、１回目の画像処理に対しては適正色温度に補正するための画像処理パラメータ、２回目の画像処理に対しては適正に対して低色温度側に補正するための画像処理パラメータ、そして３回目の画像処理に対しては適正に対して高色温度側に補正するための画像処理パラメータが、それぞれ映像信号処理回路１０に設定される。
【００４６】
次にステップＳ３０６へ進み、Ｓ３０５で設定した画像処理パラメータに基づいて映像信号処理回路１０により、画像処理が行われる。
【００４７】
次にステップＳ３０７へ進み、ステップＳ３０６で画像処理を行った画像データがクイックレビュー表示対象であるか否かを判定する。そして、クイックレビュー表示対象の画像データの場合は、ステップＳ３０８へ進み、また、クイックレビュー表示対象の画像データでない場合は、ステップＳ３０９へ進む。ここで、クイックレビュー表示対象の画像データは、設定メニューなどを介してユーザーが任意に設定することが可能である。図５は、外部液晶表示器２２にクイックレビュー表示対象の画像データを設定する設定メニューを表示した例であり、白抜き表示された
2006114970.tif 000004
が選択されていることを示している。図５に示すように本実施例において、クイックレビュー表示対象の画像データは、適正に対して低色温度側に補正した画像データとなる。従って、２回目に画像処理・記録が行われる画像データが、クイックレビュー表示対象である。即ち、ステップＳ３０７での判定において、１回目と３回目の画像処理・記録時は、クイックレビュー表示対象ではないためステップＳ３０９へ進み、２回目の画像処理・記録時は、クイックレビュー表示対象となるためステップＳ３０８へ進む。
【００４８】
ステップＳ３０８では、ステップＳ３０７でクイックレビュー表示対象と判定された画像データを液晶表示駆動回路２１へ送り、外部液晶表示器２２にクイックレビュー表示する。
【００４９】
次にステップＳ３０９へ進み、Ｓ３０６において画像処理された画像データをメモリ１４に記録する。
【００５０】
ステップＳ３１０では、ステップＳ３０２においてバッファメモリ１９に一時保存した未処理の画像データの格納領域を解放する。この結果、バッファメモリ１９に１コマ分の空きが生じる。以上で図３のフローチャートは終了する。
【００５１】
以上のように、本実施の形態によれば、デジタルオートブラケット撮影時の記録順序とは独立にクイックレビュー表示する画像データを選択することができるため、クイックレビュー表示する画像データを柔軟に変更することが可能になる。
【図面の簡単な説明】
【００５２】
【図１】本発明の実施の形態に係る電子スチルカメラの構成を示すブロック図である。
【図２】本発明の実施の形態に係る電子スチルカメラの動作の流れを示すフローチャート図である。
【図３】本発明の実施の形態に係る電子スチルカメラの動作の流れを示すフローチャート図である。
【図４】本発明の実施の形態に係る電子スチルカメラの表示例を示す図である。
【図５】本発明の実施の形態に係る電子スチルカメラの表示例を示す図である。
【符号の説明】
【００５３】
１  撮影レンズユニット
２  ＡＦ（オートフォーカス）駆動回路
３  ズーム駆動回路
４  絞り駆動回路
５  絞り
６  撮像素子（ＣＣＤ）
７  クランプ／ＣＤＳ（相関二重サンプリング）回路
８  ＡＧＣ（自動利得調整装置）
９  Ａ／Ｄ変換器
１０  映像信号処理回路
１１  ＥＶＦ（エレクトリックビューファインダー）駆動回路
１２  ＥＶＦ（エレクトリックビューファインダー）モニタ
１３  メモリコントローラ
１４  メモリ
１５  外部インタフェース
１６  マイクロコンピュータ
１７  電源部
１８  操作部材
１９  バッファメモリ
２０  レリーズ釦
２０ａ  一方の可動接点
２０ｂ  他方の可動接点
２１  液晶表示駆動回路
２２  外部液晶表示器
２３  ファインダー内液晶表示器
【図１】
2006114970.tif 000005
【図２】
2006114970.tif 000006
【図３】
2006114970.tif 000007
【図４】
2006114970.tif 000008
【図５】
2006114970.tif 000009